(57)【要約】      （修正有）【課題】収納空間内に収納した書類等の枚数の変化により柔軟に対応すべく仕切の位置を無段階で変更可能であり、かつ可動仕切をボックス本体により安定して保持させる構成を有するファイル用のボックスを提供する。【解決手段】内部に収納空間Ｓを有するボックス本体１と、収納空間Ｓを区画する機能を有する可動仕切２と、この可動仕切２をボックス本体１に対してスライド可能に支持させるスライド支持機構３とを備えるファイル用のボックスＢＸにおいて、可動仕切２が、仕切本体２１と、この仕切本体２１の奥行き方向両端部にそれぞれ形成された取付板である前取付板２２及び後取付板２３とを備えているとともに、スライド支持機構３が、ボックス本体１の外面１ａよりも内側に全体が配される。【選択図】図３
2014156060.tif 000002
【特許請求の範囲】
【請求項１】
内部に収納空間を有するボックス本体と、前記収納空間を区画する機能を有する可動仕切と、この可動仕切を前記ボックス本体に対してスライド可能に支持させるスライド支持機構とを備えるファイル用のボックスであって、
前記可動仕切が、仕切本体と、この仕切本体の奥行き方向両端部にそれぞれ形成された取付板とを備えたものであり、
前記スライド支持機構が、前記ボックス本体の外面よりも内側に全体が配されたものであることを特徴とするファイル用のボックス。
【請求項２】
前記スライド支持機構が、ボックス本体に設けられた上下に対をなすスリットと、前記取付板に設けられ一方のスリットに上方から係り合う第１の係止片と、前記取付板に設けられ他方のスリットに下方から係り合う第２の係止片とを備えている請求項１記載のファイル用のボックス。
【請求項３】
前記ボックス本体が、前端面を構成する前壁本体と、この前壁本体の上端部を内方に折り返すことにより形成され前記前壁本体の内方に重なり合う前折り返し部と、後端面を構成する後壁本体と、この後壁本体の上端部を内方に折り返すことにより形成され前記後壁本体の内方に重なり合う後折り返し部とを備え、前記前折り返し部及び前記後折り返し部に前記スリットが設けられている請求項２記載のファイル用のボックス。
【請求項４】
前記係止片を前記取付板から切り起こして設けている請求項２又は３記載のファイル用のボックス。
【請求項５】
前記取付板が前記ボックス本体に添接している請求項１、２、３又は４記載のファイル用のボックス。
【請求項６】
前記可動仕切が、１枚のシート状素材により形成されており、幅方向に離間して対をなす前記仕切本体と、これら対をなす前記仕切本体の奥行き方向端部をそれぞれ接続する１対の前記取付板とを備えている請求項１、２、３、４又は５記載のファイル用のボックス。
【発明の詳細な説明】
【技術分野】
【０００１】
本発明は、オフィスや学校、家庭等で好適に用いられるファイル用のボックスに関する。
【背景技術】
【０００２】
従来より、オフィスや学校、家庭等において書類等を収納しておくための器具の一つとして、内部に収納空間を有するファイル用のボックスが広く用いられている。このようなファイル用のボックスは、収納空間内に書類等を立てた状態で保存しておくことができ、書類の出し入れが容易であるという特徴を有する。
【０００３】
ところで、このようなファイル用のボックスにおいて、書類等の枚数が少ない場合に書類等が収納空間内において自重で湾曲することがあり、この不具合を解消すべく、収納空間を区画する機能を有する仕切を設けることが考えられている。さらに、書類等の枚数の変化により柔軟に対応すべく、収納空間を内部に有するボックス本体と、このボックス本体の収納空間内においてスライド移動可能な可動仕切とを有するファイル用のボックスも考えられている（例えば、特許文献１を参照）。
【０００４】
しかして、前記特許文献１記載のファイル用のボックスの構成では、ボックス本体に上方から係り合い可動仕切を保持するための保持片を可動仕切に設けているが、このような構成においては、以下に述べるような不具合がなお存在する。すなわち、特許文献１記載の保持片はその一部が外部空間に露出しており、この保持片をボックス本体に上方から係り合わせているが、このような構成では、可動仕切をスライド移動させる際、又はこのようなファイル用のボックスを書架等に収納している際に、保持片に下方から上方に向かう作用がボックスの外部から加えられ、可動仕切がボックス本体から離脱する不具合が発生し得る。そこで、可動仕切をボックス本体により安定して保持させる構成を有するファイル用のボックスが要望されている。
【先行技術文献】
【特許文献】
【０００５】
【特許文献１】特開平１１−３０１１６０号公報
【発明の概要】
【発明が解決しようとする課題】
【０００６】
本発明は以上の点に着目し、収納空間内に収納した書類等の枚数の変化により柔軟に対応すべく仕切の位置を無段階で変更可能であり、かつ可動仕切をボックス本体により安定して保持させる構成を有するファイル用のボックスを実現することを目的とする。
【課題を解決するための手段】
【０００７】
以上の課題を解決すべく、本発明に係るファイル用のボックスは、以下に述べるような構成を有する。すなわち本発明に係るファイル用のボックスは、内部に収納空間を有するボックス本体と、前記収納空間を区画する機能を有する可動仕切と、この可動仕切を前記ボックス本体に対してスライド可能に支持させるスライド支持機構とを備えるファイル用のボックスであって、前記可動仕切が、仕切本体と、この仕切本体の奥行き方向両端部にそれぞれ形成された取付板とを備えたものであり、前記スライド支持機構が、前記ボックス本体の外面よりも内側に全体が配されたものである。
【０００８】
このようなものであれば、スライド支持機構の全体がボックス本体の外面よりも内側に配されているので、ボックスの外部から取付板とボックス本体との間の係合状態を解除する作用が加えられる不具合の発生を防止又は抑制できる。
【０００９】
このようなファイル用のボックスにおいて可動仕切のボックス本体からの脱落をより効果的に防止できる構成として、前記スライド支持機構が、ボックス本体に設けられた上下に対をなすスリットと、前記取付板に設けられ一方のスリットに上方から係り合う第１の係止片と、前記取付板に設けられ他方のスリットに下方から係り合う第２の係止片とを備えているものが挙げられる。
【００１０】
スライド支持機構の全体をボックス本体の外面よりも内側に配するための簡単な構成の一例として、前記ボックス本体が、前端面を構成する前壁本体と、この前壁本体の上端部を内方に折り返すことにより形成され前記前壁本体の内方に重なり合う前折り返し部と、後端面を構成する後壁本体と、この後壁本体の上端部を内方に折り返すことにより形成され前記後壁本体の内方に重なり合う後折り返し部とを備え、前記前折り返し部及び前記後折り返し部に前記スリットが設けられているものが挙げられる。
【００１１】
より簡単な構成で前記取付板に前記係止片を設けるには、この係止片を、前記取付板から切り起こして設けるのが望ましい。
【００１２】
このようなファイル用のボックスにおいて可動仕切をより安定してボックス本体に取り付けるようにするための構成として、前記取付板が前記ボックス本体に添接しているものが挙げられる。
【００１３】
このようなファイル用のボックスにおいて、ボックス本体に可動仕切を取り付けたまま折り畳むことができるようにするための構成として、前記可動仕切が、１枚のシート状素材により形成されており、幅方向に離間して対をなす前記仕切本体と、これら対をなす前記仕切本体の奥行き方向端部をそれぞれ接続する１対の前記取付板とを備えているものが挙げられる。
【発明の効果】
【００１４】
本発明によれば、収納空間内に収納した書類等の枚数の変化により柔軟に対応すべく仕切の位置を無段階で変更可能であり、かつ可動仕切をボックス本体により安定して保持させる構成を有するファイル用のボックスを実現することができる。
【図面の簡単な説明】
【００１５】
【図１】本発明の一実施形態に係るファイル用のボックスを示す斜視図。
【図２】同実施形態に係るファイル用のボックスを示す正面図。
【図３】図２におけるＡ−Ａ断面図。
【図４】図３におけるＢ−Ｂ断面図。
【図５】同実施形態に係るファイル用のボックスを折り畳んだ状態を示す斜視図。
【図６】同実施形態に係るボックス本体を構成するシートを示す展開図。
【図７】同実施形態に係る可動仕切を構成するシートを示す展開図。
【図８】同実施形態に係る底敷板を示す平面図。
【発明を実施するための形態】
【００１６】
本発明の一実施形態を図１〜図８を参照しつつ以下に示す。
【００１７】
本実施形態に係るファイル用のボックスＢＸは、図１〜図４に示すように、内部に被収納物である書類Ｄ１、Ｄ２を収納可能な収納空間Ｓを有するボックス本体１と、このボックス本体１の収納空間Ｓを区画する機能を有する仕切本体２１及びこの仕切本体２１の奥行き方向両端部にそれぞれ形成された取付板すなわち前取付板２２及び後取付板２３を有し、これら前取付板２２及び後取付板２３が、前記ボックス本体１の外面１ａよりも内側に配されボックス本体１と幅方向にスライド可能に係合する係止片を備えている可動仕切２と、この可動仕切２を前記ボックス本体１に対してスライド可能に支持させるスライド支持機構３と、前記ボックス本体１の内底面の上方に配される底敷板４とを備えている。
【００１８】
前記ボックス本体１は、全体が図６に示すような１枚のシート状をなすプラスチック製の素材により形成されており、前端面を構成する前壁１１と、この前壁１１に対向し後端面を構成する後壁１２と、これら前壁１１及び後壁１２の側端縁同士を接続する側壁１３と、これら前壁１１、後壁１２及び側壁１３の下端から延出する底壁１４とを備えている。また、このボックス本体１は、前記前壁１１、後壁１２、側壁１３及び底壁１４により区画される前記収納空間Ｓを内部に有する。さらに詳述すると、前記前壁１１は、前端面を構成する前壁本体１１１と、この前壁本体１１１の上端部を内方に折り返すことにより形成され前記前壁本体１１１の内方に重なり合う前折り返し部１１２とを有する。また、前壁１１の前方には、透明な樹脂により形成され前壁１１との間でこのボックスＢＸに収納した書類の内容等が記載された紙葉類を収納するための空間を形成する前ポケット部材Ｐ１が設けられている。前記後壁１２は、後端面を構成する後壁本体１２１と、この後壁本体１２１の上端部を内方に折り返すことにより形成されこの後壁本体１２１の上部の内方に重なり合う後折り返し部１２２とを有する。本実施形態では、この後壁１２の高さ寸法は、前記前壁１１の高さ寸法よりも大きく設定している。また、後壁１２の後方にも、透明な樹脂により形成され後壁１２との間でこのボックスＢＸに収納した書類の内容等が記載された紙葉類を収納するための空間を形成する後ポケット部材Ｐ２が設けられている。さらに、この後壁１２の一側端部からは、一方の側壁１３の後端部と接合するための接合しろ１２３を前方に延出させて設けている。前記側壁１３は、前端縁が前記前壁１１に、後端縁が前記後壁１２にそれぞれ連続しており、側端面を構成する側壁本体１３１と、この側壁本体１３１の上端部を内方に折り返すことにより形成されこの側壁本体１３１の上部の内方に重なり合う側折り返し部１３２とを有する。また、本実施形態では、この側壁１３の高さ寸法は、前部においては後方に向かうにつれ漸次大きくなり、後部においては一定である。一方の側壁１３の後端部の内面には、前記接合しろ１２３が接合されている。前記底壁１４は、前記前壁１１の下端から延出する第１の底壁１４１要素と、前記後壁１２の下端から延出する第２の底壁要素１４２と、一方の側壁１３の下端から延出する第３の底壁要素１４３と、他方の側壁１３の下端から延出する第４の底壁要素１４４とを組み合わせて形成している。これら第１〜第４の底壁要素１４１〜１４４の構成、及び第１〜第４の底壁要素１４１〜１４４を組み合わせて底壁１４を形成する方法は、従来知られているこの種のファイル用ボックスの底壁を形成する方法と同様であるので、詳細な説明は省略する。
【００１９】
前記可動仕切２は、全体が図７に示すような１枚のシート状素材により形成されており、幅方向に離間して対をなす前記仕切本体２１と、これら対をなす前記仕切本体２１の奥行き方向端部をそれぞれ接続する１対の前記取付板、すなわち前取付板２２及び後取付板２３とを備えている。さらに詳述すると、前記仕切本体２１は、前記収納空間Ｓの奥行き寸法全域にわたって伸びており、上縁は前記側板の上縁と同一の形状を有する。対をなす仕切本体２１間には、図１に示すように、被収納物である書類Ｄ２を収納可能である。また、この仕切本体２１の下縁は、前記前取付板２２の下縁と前記後取付板２３の下縁とを直線的に接続する形状をなしており、この仕切本体２１の下縁と底壁１４とは離間している。前記前取付板２２は、前記前壁１１に添接しており、前記前壁１１と略同一の高さ寸法を有する。また、この前取付板２２からは、前記スライド支持機構３を構成する第１及び第２の係止片３３、３４を切り起こして設けている。前記後取付板２３は、前記後壁１２の上部に添接しており、前記後壁１２よりも高さ寸法が小さい。この後取付板２３の一側端部からは接合しろ２４を前方に延出させて設けており、この接合しろ２４を一方の仕切本体２１の後端部と溶着により接合している。また、この後取付板２３からも、前記スライド支持機構３を構成する第１及び第２の係止片３３、３４を切り起こして設けている。
【００２０】
前記スライド支持機構３は、前記前取付板２２及び前記後取付板２３側に設けた第１及び第２の係止片３３、３４と、ボックス本体１に設けられた上下に対をなす第１及び第２のスリット３１、３２とを備えており、第１の係止片３３と第１のスリット３１とをスライド可能に係わり合わせるとともに、第２の係止片３４と第２のスリット３２とをスライド可能に係わり合わせてなる。また、このスライド支持機構３は、前記ボックス本体１の外面よりも内側に全体が配されている。さらに詳述すると、前記第１の係止片３３は、上述したように前取付板２２及び後取付板２３から切り起こして設けられ、上端縁が前取付板２２及び後取付板２３の他の部分と連続している。一方、前記第２の係止片３４は、上述したように前取付板２２及び後取付板２３から切り起こして前記第１の係止片３３の上方に設けられ、下端縁が前取付板２２及び後取付板２３の他の部分と連続している。一方、前記第１及び第２のスリット３１、３２は、前記ボックス本体１の前壁１１の前折り返し部１１２及び後壁１２の後折り返し部１２２に上下に対をなして設けられ、下側に位置する第１のスリット３１が前記第１の係止片３３と係わり合い、上側に位置する第２のスリット３２が前記第２の係止片３４と係わり合う。すなわち、前記第１の係止片３３は前記第１のスリット３１に上方から係わり合い可動仕切２の脱落を防止する機能を発揮する一方、前記第２の係止片３４は前記第２のスリット３２に下方から係わり合い可動仕切２の上方への抜け止めを行う機能を発揮する。そして、これら第１及び第２の係止片３３、３４は、いずれも前壁本体１１１と前折り返し部１１２との間の空間、又は後壁本体１２１と後折り返し部１２２との間の空間に収納される。すなわち、これら第１及び第２の係止片３３、３４、ひいてはこのスライド支持機構３の全体は、ボックス本体１の外面１ａよりも内側、すなわちボックス本体１の前壁１１の前面よりも後方及びボックス本体１の後壁１２の後面よりも前方に配されている。
【００２１】
前記底敷板４は、図８に示すように、樹脂製で矩形状をなす底敷板本体４１と、この底敷板本体４１の外方に一体に設けられ前記ボックス本体１に圧着する圧着突起４２と、前記底敷板本体４１から切り起こして設けられ幅方向一端縁が底敷板本体４１と連続しており収納空間Ｓ内部に収納された書類等の向きを案内する案内突起４３とを備えている。
【００２２】
また、このファイル用のボックスＢＸは、前記スライド支持機構３の第１の係止片３３と第１のスリット３１とを係わり合わせるとともに第２の係止片３４と第２のスリット３２とを係わり合わせて可動仕切２をボックス本体１に取り付けた状態で流通させるようにしている。さらに詳述すると、ボックス本体１の前壁１１、後壁１２及び両側壁１３に連続する第１〜第４の底壁要素１４１〜１４４はそれぞれ前記前壁１１、後壁１２及び両側壁１３に垂下させた状態としておき、図５に示すような状態でボックス本体１及び可動仕切２を一体的に折り畳んだ状態で流通させるようにしている。そして、このファイル用のボックスＢＸの使用時には、ボックス本体１の前壁１１、後壁１２及び両側壁１３が平面視矩形状となるように折り畳み状態を解除し、第１〜第４の底壁要素１４１〜１４４を組み合わせて底壁１４を形成するようにしている。
【００２３】
以上に述べたように、本実施形態の構成によれば、以下に述べるような効果を得ることができる。すなわち、スライド支持機構３により可動仕切２をボックス本体１にスライド可能に支持させることにより書類の枚数が少ない場合であっても書類等が収納空間Ｓ内において自重で湾曲することを防止又は抑制できるようにしつつ、スライド支持機構３の全体をボックス本体１の外面１ａよりも内側に配しているので、ボックスＢＸの外部から取付板２２、２３とボックス本体１との間の係合状態を解除する作用が加えられる不具合の発生を防止又は抑制することができる。
【００２４】
前記スライド支持機構３が、ボックス本体１の前壁１１及び後壁１２に設けられた上下に対をなす第１及び第２のスリット３１、３２と、前記前取付板２２及び前記後取付板２３に設けられ第１のスリット３１に上方から係り合う第１の係止片３３と、前記前取付板２２及び前記後取付板２３に設けられ第２のスリット３２に下方から係り合う第２の係止片３４とを備えているので、第１の係止片３３を第１のスリット３１に係り合わせることにより可動仕切２のボックス本体１からの脱落を防止しつつ、第２の係止片３４を第２のスリット３２に係り合わせることにより可動仕切２の上方への抜き取りを防止することもできる。
【００２５】
前記ボックス本体１が、前端面を構成する前壁本体１１１及びこの前壁本体１１１の上端部を内方に折り返すことにより形成され前記前壁本体１１１の内方に重なり合う前折り返し部１１２を有する前壁１１と、後端面を構成する後壁本体１２１及びこの後壁本体１２１の上端部を内方に折り返すことにより形成され前記後壁本体１２１の内方に重なり合う後折り返し部１２２を有する後壁１２とを備え、前記前折り返し部１１２及び前記後折り返し部１２２に前記第１及び第２のスリット３１、３２がそれぞれ設けられているので、簡単な構成により前記スライド支持機構３の全体をボックス本体１の外面１ａよりも内側に配することができる。
【００２６】
前記第１及び第２の係止片３３、３４を前記前取付板２２及び前記後取付板２３からそれぞれ切り起こして設けているので、より簡単な構成で前記取付板２２に前記第１及び第２の係止片３３、３４を設けることができる。
【００２７】
前記前取付板２２及び後取付板２３がいずれも前記ボックス本体１に添接しているので、可動仕切２をより安定してボックス本体１に取り付けることができる。
【００２８】
前記可動仕切２が、１枚のシート状素材により形成されており、幅方向に離間して対をなす前記仕切本体２１と、これら対をなす前記仕切本体２１の奥行き方向端部をそれぞれ接続する前取付板２２及び後取付板２３とを備えているので、ボックス本体１を図５に示すように折り畳むと、仕切本体２１と前取付板２２との境界及び仕切本体２１と後取付板２３との境界がヒンジとして機能し、ボックス本体１の折り畳み動作に追従して可動仕切２が折り畳まれる。従って、前述したように、ボックス本体１に可動仕切２を取り付けたまま折り畳んだ状態で流通させることや保存しておくことができる。また、このような可動仕切２の内部に厚手の書類Ｄ２を収納した場合であっても、前取付板２２と前壁１１との間及び後取付板２３と後壁１２との間に設けたスライド支持機構３により可動仕切２を支持させており、前壁１１及び後壁１２が書類Ｄ２からの荷重を受けるので、このような書類Ｄ２を収納したボックスＢＸが書類Ｄ２ごと横倒しになることを防止又は抑制することもできる。
【００２９】
なお、本発明は以上に述べた実施形態に限らない。
【００３０】
例えば、上述した実施形態では、スライド支持機構に、ボックス本体に設けられた上下に対をなすスリットと、前記取付板に設けられ一方のスリットに上方から係り合う第１の係止片と、前記取付板に設けられ他方のスリットに下方から係り合う第２の係止片とを備えている構成を採用しているが、これ以外の態様のものをスライド支持機構として採用してもよい。例えば、ボックス本体の前壁及び後壁にスリットを１つだけ設け、可動仕切の各取付板に前記スリットと係合可能な係止片を１つだけ設ける態様のスライド支持機構や、ボックス本体の内面又は取付板の外面の一方に設けられた幅方向に伸びる突条と、他方に設けられこの突条と係わり合うことが可能な凹部とを係わり合わせてなる態様のスライド支持機構や、ボックス本体に設けられた係止片と、前記取付板に設けられたスリットとを係わり合わせてなる態様のスライド支持機構等、可動仕切を前記ボックス本体に対してスライド可能に支持させることが可能であるとともに全体がボックス本体の外面よりも内側に配される構成のスライド支持機構であれば、上述した本発明の主要な効果を得ることができる。
【００３１】
また、上述したようなボックス本体にスリットを設けるとともに可動仕切の取付板に係止片を設ける態様のものであっても、係止片は上述した実施形態のもののような前記取付板から切り起こして設ける構成のものに限らず、例えば予め取付板と別体に形成され取付板の外面に接着される構成の係止片や、取付板と一体に設けられ該取付板の外面から突出する構成の係止片等を採用してもよい。
【００３２】
さらに、上述した実施形態では、可動仕切を安定してボックス本体に保持させるべく、前記取付板を前記ボックス本体に添接させているが、前記取付板と前記ボックス本体とが離間した構成を採用してももちろんかまわない。
【００３３】
そして、上述した実施形態では、前記可動仕切が、１枚のシート状素材により形成されており、幅方向に離間して対をなす前記仕切本体と、これら対をなす前記仕切本体の奥行き方向端部をそれぞれ接続する１対の前記取付板とを備えている構成を採用しているが、可動仕切に仕切本体を１つだけ設ける態様や、３つ以上設ける態様を採用してももちろんよい。さらに、取付板を１対だけ設ける、換言すれば可動仕切の前端及び後端にそれぞれ１枚だけ設ける態様に限らず、例えば、可動仕切の前端又は後端側に２枚の取付板を重ね合わせて設けるようにする等、取付板を可動仕切の前後両端部にそれぞれ設けているものであれば、３枚目以降の取付板を任意の位置に設けてもよい。
【００３４】
その他、本発明の趣旨を損ねない範囲で種々に変更してよい。
【符号の説明】
【００３５】
ＢＸ…ボックス
１…ボックス本体
１ａ…（ボックス本体の）外面
２…可動仕切
２１…仕切本体
２２…取付板（前取付板）
２３…取付板（後取付板）
３…スライド支持機構
【図１】
2014156060.tif 000003
【図２】
2014156060.tif 000004
【図３】
2014156060.tif 000005
【図４】
2014156060.tif 000006
【図５】
2014156060.tif 000007
【図６】
2014156060.tif 000008
【図７】
2014156060.tif 000009
【図８】
2014156060.tif 000010